(57)【特許請求の範囲】
【請求項１】
スピンドルモータ駆動用電源の出力電圧がスピンドルドライバを介してスピンドルモータに供給されるディスク装置に於て、
前記出力電圧が可変とされており、
或る時間内に或る回数以上スピンドルサーボが外れた場合、前記出力電圧が高い電圧にされ、且つ、
或る時間内のスピンドルサーボの外れが無くなった場合に加え、前記高い電圧とされてから所定の時間を超えた場合も、前記出力電圧が元に戻される
ことを特徴とするディスク装置。
【請求項２】
前記スピンドルモータの起動時にも、前記出力電圧が一定の時間だけ高い電圧とされる
ことを特徴とする請求項１に記載のディスク装置。
【発明の詳細な説明】
【０００１】
【発明の属する技術分野】
本発明は光ディスク装置その他のディスク装置に関する。
【０００２】
【従来の技術】
従来のディスク装置、例えば光ディスクプレーヤの回路構成例を図５に示す。同図に示される様に、従来のディスク装置では、スピンドルドライバ１に供給される電源の電圧Ｖｃは固定であった。なお、同図に於て、２はこの電圧Ｖｃをスピンドルドライバ１に供給する定電圧電源、３は光ディスク、４はスピンドルモータ、６はピックアップ、７はＲＦヘッドアンプ、８はＤＳＰ・サーボＩＣ、９はコントロールマイコンである（但し、「アンプ」は「アンプリファイア」の意、「ＤＳＰ」は「ディジタルシグナルプロセッサ」の意、「ＩＣ」は「集積回路」の意、「マイコン」は「マイクロコンピュータ」の意。）。
【０００３】
【発明が解決しようとする課題】
昨今、高速化に伴い、通常の２倍、４倍等でスピンドルモータ４が回転される機会が増えている。この為、スピンドルドライバ１の負荷が重くなっており（偏心、傾きディスク等の場合を含む）、ダイナミックレンジの問題から、電源電圧Ｖｃを上げざるを得なくなっている。
この結果、スピンドルドライバ１の発熱量が多くなり、放熱器の取付、高効率のスピンドルドライバの使用といった対策をとる必要があり、コストが掛かっていた（図５に示されるスピンドルドライバ１についても放熱器付き又は高効率のスピンドルドライバが使用されている）。
【０００４】
本発明の目的は、上記従来技術の欠点を解消し、放熱器の取付、高効率スピンドルドライバの使用といった対策をとる必要がなく、コストが掛からないディスク装置を実現することにある。
【０００５】
【課題を解決するための手段】
上記目的達成のため請求項１の発明では、スピンドルモータ駆動用電源の出力電圧がスピンドルドライバを介してスピンドルモータに供給されるディスク装置に於て、前記出力電圧が可変とされており、或る時間内に或る回数以上スピンドルサーボが外れた場合、前記出力電圧が高い電圧にされ、且つ、或る時間内のスピンドルサーボの外れが無くなった場合に加え、前記高い電圧とされてから所定の時間を超えた場合も、前記出力電圧が元に戻される。
また、請求項２の発明では、請求項１にいうスピンドルモータの起動時にも、請求項１にいう出力電圧が一定の時間だけ高い電圧とされる。
【０００６】
【発明の実施の形態】
以下本発明の詳細を図示実施の形態例に基いて説明する。図１に実施の形態例の光ディスクプレーヤの回路構成を示す。図に於て、３は光ディスク、４はスピンドルモータ、６はピックアップ、７はＲＦヘッドアンプ、８はＤＳＰ・サーボＩＣ、９はコントロールマイコンである。これらは図５に示した従来の光ディスクプレーヤにおけるものと同一である（同じ符号を付す）。
【０００７】
１１はスピンドルドライバで、図５に示す従来の光ディスクプレーヤにおけるスピンドルドライバ２とは異なり、放熱器無しの通常効率のものが使用される。１２は帰還可変電圧電源で、抵抗Ｒ1、Ｒ2の分圧比によって出力電圧Ｖｖが決定されるものであり、コントロールマイコン９のＡポート出力によってトランジスタＴｒを導通／遮断させると、抵抗Ｒ3により、抵抗Ｒ1、Ｒ2の分圧比が変わり、スピンドルドライバ１１に供給される電源電圧Ｖｖを変化させることができる。
【０００８】
図２にコントロールマイコン９によって実行される処理を示す。まず、スピンドルモータ４を起動する時、コントロールマイコン９はポートＡを”Ｈ（高レベル）”出力にし、スピンドルモータ４を高電圧にてキックさせる。これで、スピンドルモータ４は速やかに目的の回転速度に到達する。その後、一定時間経過したら（サーボが安定したら）、コントロールマイコン９はポートＡを”Ｌ（低レベル）”出力にし、スピンドルドライバ１１に供給される電源電圧Ｖｖを低くする（ステップＳ１。以下「ステップ」の語は省略。）。これでスピンドルドライバ１１の発熱は抑えられる。
【０００９】
ＰＬＡＹ（再生）中、スピンドルモータ４のサーボの状態はコントロールマイコン９でモニタされる。この場合、ある一定時間ｔ内にスピンドルモータ４のサーボがはずれる回数がｎ回未満であるならば（Ｓ２「ＮＯ（いいえ）」）、電源電圧Ｖｖは低い侭で足りる。そこでＰＬＡＹ終了か否かを検査し、まだＰＬＡＹ中であれば（Ｓ３「ＮＯ」）、Ｓ２に戻ってサーボの状態をモニタする。この場合、電源電圧Ｖｖが低い侭なので、スピンドルドライバ１１の発熱は低く抑えられる。またＰＬＡＹ終了であれば（Ｓ３「ＹＥＳ（はい）」）、コントロールマイコン９は図２の処理を終了する。
（なお、Ｓ２では記入スペースが少ないため、「…スピンドルがｎ回以上はずれたか」と表記しているが、これは詳しくは「…スピンドルモータ４のサーボがｎ回以上はずれたか」の意である。この点は、Ｓ５の「…スピンドルがはずれたか」の表記に関しても同様である。）
【００１０】
一方、ある一定時間ｔ内に、ｎ回以上スピンドルサーボがはずれたとする（Ｓ２「ＹＥＳ」）、この場合、コントロールマイコン９はポートＡを”Ｈ”出力にし（Ｓ４）、スピンドルドライバ１１の電源電圧Ｖｖを高くする。これにより、スピンドルドライバ１１のダイナミックレンジは広くなり、スピンドルモータ４のサーボがはずれるという状態は解消される。
この高電圧状態にてコントロールマイコン９はスピンドルモータ４のサーボの状態を再びモニタする。そして、一定時間ｔ内に、スピンドルモータ４のサーボがはずれなければ（Ｓ５「ＮＯ」）、スピンドルドライバ１１のダイナミックレンジを広くしておく必要は無くなる。そこで、ポートＡ出力を”Ｌ”にし、スピンドルドライバ１１の電源電圧Ｖｖを低くする（Ｓ６）。そして、またＳ２の処理に戻る。これによりスピンドルドライバ１１の発熱は抑えられる。
【００１１】
ただ、一定時間ｔ内にスピンドルモータ４のサーボがはずれる状態であっても、電源電圧Ｖｖをあまり長時間高い状態に維持すると、スピンドルドライバ１１の発熱が大きくなってしまう畏れがある。そこで、本実施の形態例では、一定時間ｔ内にスピンドルモータ４のサーボがはずれたら（Ｓ５「ＹＥＳ」）、そこでポートＡが”Ｈ”になってからＴ時間経過したかを検査する。このとき、まだＴ時間を経過していなければ（Ｓ７「ＮＯ」）、Ｓ４でポートＡ出力を”Ｈ”にしたその状態をその侭維持する（Ｓ５に戻る）。一方、若しＴ時間を経過していたなら、ポートＡを”Ｌ”に戻す（Ｓ７）。即ち電源電圧Ｖｖを低い電圧に落とす。これにより、スピンドルドライバ１１の発熱は低く抑えられる。なお、この処理は異状時のタイムアウト手段としても機能する。
（なお、Ｓ７の「Ａが…」とは「ポートＡが」の意である。）
【００１２】
以下、変形例について説明する。実施の形態例では電源電圧Ｖｖは２段階に変化させたが、図３に示すように、抵抗Ｒ4、Ｒ5、…、トランジスタＴｒ2、Ｔｒ3、…、マイコンポートＢ、Ｃ、…、を増設することで、電源電圧を多段階に変化させるようにしても良い。
また、図４に示すように、コントロールマイコンのＤ／Ａポート出力等を用い、電源電圧Ｖｖをほぼ連続的に変化させるようにしても良い。
また、スピンドルモータ４の回転数の違いに合わせ電源電圧Ｖｖを変更するようにしても良い。例えば、通常速の期間は低電圧、２倍速の期間は高電圧というようにしても良い。この場合、回路は図１や図３に示すものを用いる。
【００１３】
【発明の効果】
以上説明したように、本発明によれば、一定時間ｔ内にｎ回スピンドルサーボがはずれるなど、スピンドルドライバのダイナミックレンジが足りないとき、ダイナミックレンジを大きくして、スピンドルモータをドライブすることが可能になるる。この場合、電源電圧が高電圧にされるのは一時的なので、温度上昇に対する考慮が少なくて済み、コストが掛からない（放熱器無し、通常の効率の安価なスピンドルドライバの使用）。また、ダイナミックレンジが原因でない時に動作しても副作用が無い。
【図面の簡単な説明】
【図１】実施の形態例の光ディスクプレーヤの回路構成を示すブロック図。
【図２】コントロールマイコン９（図１）によって実行される処理を示すフローチャート。
【図３】帰還可変電圧電源１２の出力電圧Ｖｖを変化させるための回路構成の変形例を示すブロック図。
【図４】帰還可変電圧電源１２の出力電圧Ｖｖを変化させるための回路構成の変形例を示すブロック図。
【図５】従来の光ディスクプレーヤの回路構成例を示すブロック図。
【符号の説明】
３…光ディスク                    ４…スピンドルモータ
６…ピックアップ                  ７…ＲＦヘッドアンプ
８…ＤＳＰ・サーボＩＣ            ９…コントロールマイコン
１１…スピンドルドライバ          １２…帰還可変電圧電源
Ｒ…抵抗                        Ｔｒ…トランジスタ
【図１】
0003806645.tif 000002
【図２】
0003806645.tif 000003
【図３】
0003806645.tif 000004
【図４】
0003806645.tif 000005
【図５】
0003806645.tif 000006